(57)【要約】【課題】光源からの光を導光する導光体を備えた車両用灯具において、灯具点灯時の注意喚起機能向上を図る。【解決手段】発光素子２０から導光体３２の柱状部３２Ａに入射した光を、灯具前後方向の３箇所において灯具前後方向と交差する所要方向へ内面反射させて出射させた後、３重に配置された導光体３２の有底円筒部３２Ｂ、導光体３４、３６の各々に対して、その１次導光部３２Ｂ１、３４Ａ、３６Ａに入射させて所要方向へ導光した後、灯具前方側へ内面反射させてその２次導光部３２Ｂ２、３４Ｂ、３６Ｂを灯具前方側へ導光する構成とする。これにより、灯具点灯時、導光体３２の有底円筒部３２Ｂ、導光体３４、３６の各々における２次導光部３２Ｂ２、３４Ｂ、３６Ｂの前端面３２Ｂ２ｂ、３４Ｂｂ、３６Ｂｂが３重に光って見えるようし、他の車両への注意喚起機能を十分に確保可能とする。【選択図】図２
2016184548.tif 000002
【特許請求の範囲】
【請求項１】
光源および該光源からの光を導光する導光体を備えた車両用灯具において、
上記導光体として、
上記光源からの光を入射させる光入射部と、この光入射部から入射した光を灯具前後方向の複数箇所において灯具前後方向と交差する所要方向へ内面反射させる光反射部と、この光反射部で内面反射した光を上記所要方向へ出射させる光出射部とを備えた第１導光体と、
上記第１導光体の光出射部から出射した光の一部を入射させて上記所要方向へ導光する１次導光部と、この１次導光部を導光された光を灯具前方側へ内面反射させて灯具前方側へ導光する２次導光部とを備えた第２導光体と、
上記第１導光体の光出射部から出射した光の一部を上記第２導光体の後方側において入射させて上記所要方向へ導光する１次導光部と、この１次導光部を導光された光を上記第２導光体よりも上記第１導光体から離れた位置において灯具前方側へ内面反射させて灯具前方側へ導光する２次導光部とを備えた第３導光体と、が設けられていることを特徴とする車両用灯具。
【請求項２】
上記第１導光体と上記第２導光体とが一体成形により形成されている、ことを特徴とする請求項１記載の車両用灯具。
【請求項３】
上記第２導光体の２次導光部および上記第３導光体の２次導光部は、いずれも環状に形成されている、ことを特徴とする請求項１または２記載の車両用灯具。
【請求項４】
光源および該光源からの光を導光する導光体を備えた車両用灯具において、
上記導光体として、
上記光源からの光を入射させる光入射部と、この光入射部から入射した光を灯具前後方向の複数箇所において灯具前後方向と交差する所要方向へ内面反射させる光反射部と、この光反射部で内面反射した光を上記所要方向へ出射させる光出射部とを備えた第１導光体と、
上記第１導光体の光出射部から出射した光の一部を入射させて上記所要方向へ導光する１次導光部を備えた第２導光体と、が設けられており、
上記第１導光体は、該第１導光体と他の灯具構成部材とで上記第２導光体を前後両側から挟んだ状態で上記他の灯具構成部材に固定されている、ことを特徴とする車両用灯具。
【請求項５】
上記第１導光体の上記他の灯具構成部材に対する固定は、機械的締結によって行われている、ことを特徴とする請求項４記載の車両用灯具。
【請求項６】
上記第１導光体は、該第１導光体の光反射部で内面反射した光の一部を、上記第２導光体の前方側において入射させて上記所要方向へ導光する１次導光部を備えている、ことを特徴とする請求項４または５記載の車両用灯具。
【請求項７】
上記導光体として、上記第１導光体の光出射部から出射した光の一部を上記第２導光体の後方側において入射させて上記所要方向へ導光する１次導光部を備えた第３導光体が設けられており、
上記第２導光体は、該第２導光体の１次導光部を導光された光を灯具前方側へ内面反射させて灯具前方側へ導光する２次導光部を備えており、
上記第３導光体は、該第３導光体の１次導光部を導光された光を上記第２導光体よりも上記第１導光体から離れた位置において灯具前方側へ内面反射させて灯具前方側へ導光する２次導光部を備えており、
上記第３導光体は、該第３導光体の２次導光部において上記他の灯具構成部材に固定されている、ことを特徴とする請求項４〜６いずれか記載の車両用灯具。
【発明の詳細な説明】
【技術分野】
【０００１】
本願発明は、光源および該光源からの光を導光する導光体を備えた車両用灯具に関するものである。
【背景技術】
【０００２】
従来より、導光体を備えた車両用灯具の構成として「特許文献１」に記載されているような構成が知られている。
【０００３】
この「特許文献１」に記載された車両用灯具の導光体は、光源からの光を入射させる光入射部と、この光入射部から入射した光を灯具前後方向の複数箇所において灯具前後方向と交差する所要方向へ内面反射させる光反射部と、この光反射部で内面反射した光を上記所要方向へ導光する１次導光部と、この１次導光部を導光された光を灯具前方側へ内面反射させて灯具前方側へ導光する２次導光部とを備えた構成となっている。
【先行技術文献】
【特許文献】
【０００４】
【特許文献１】特開２００８−１６６０７２号公報
【発明の概要】
【発明が解決しようとする課題】
【０００５】
上記「特許文献１」に記載された車両用灯具においては、灯具点灯時、導光体の２次導光部の前端面が光って見えるが、発光面が単一であるので他の車両への注意喚起機能を十分に確保することが困難である。
【０００６】
本願発明は、このような事情に鑑みてなされたものであって、光源からの光を導光する導光体を備えた車両用灯具において、灯具点灯時の注意喚起機能向上を図ることができる車両用灯具を提供すること、および複数の導光体を確実に支持することができる車両用灯具を提供することを目的とするものである。
【課題を解決するための手段】
【０００７】
本願発明は、導光体の構成に工夫を施すことにより、上記目的達成を図るようにしたものである。
【０００８】
すなわち、本願第１の発明に係る車両用灯具は、
光源および該光源からの光を導光する導光体を備えた車両用灯具において、
上記導光体として、
上記光源からの光を入射させる光入射部と、この光入射部から入射した光を灯具前後方向の複数箇所において灯具前後方向と交差する所要方向へ内面反射させる光反射部と、この光反射部で内面反射した光を上記所要方向へ出射させる光出射部とを備えた第１導光体と、
上記第１導光体の光出射部から出射した光の一部を入射させて上記所要方向へ導光する１次導光部と、この１次導光部を導光された光を灯具前方側へ内面反射させて灯具前方側へ導光する２次導光部とを備えた第２導光体と、
上記第１導光体の光出射部から出射した光の一部を上記第２導光体の後方側において入射させて上記所要方向へ導光する１次導光部と、この１次導光部を導光された光を上記第２導光体よりも上記第１導光体から離れた位置において灯具前方側へ内面反射させて灯具前方側へ導光する２次導光部とを備えた第３導光体と、が設けられていることを特徴とするものである。
【０００９】
また、本願第２の発明に係る車両用灯具は、
光源および該光源からの光を導光する導光体を備えた車両用灯具において、
上記導光体として、
上記光源からの光を入射させる光入射部と、この光入射部から入射した光を灯具前後方向の複数箇所において灯具前後方向と交差する所要方向へ内面反射させる光反射部と、この光反射部で内面反射した光を上記所要方向へ出射させる光出射部とを備えた第１導光体と、
上記第１導光体の光出射部から出射した光の一部を入射させて上記所要方向へ導光する１次導光部を備えた第２導光体と、が設けられており、
上記第１導光体は、該第１導光体と他の灯具構成部材とで上記第２導光体を前後両側から挟んだ状態で上記他の灯具構成部材に固定されている、ことを特徴とするものである。
【００１０】
上記「光源」の種類は特に限定されるものではなく、例えば発光ダイオードやレーザダイオード等が採用可能である。
【００１１】
上記「灯具前後方向」とは、灯具と該灯具の点灯状態を外部から観察し得る位置とを結ぶ方向を意味するものであって、その具体的な方向は特に限定されるものではない。
【００１２】
上記「所要方向」は、灯具前後方向と交差する方向であれば、その具体的な方向は特に限定されるものではない。
【００１３】
上記「他の灯具構成部材」は、特定の部材に限定されるものではなく、例えばランプボディや透光カバーあるいはこれらに支持された部材等が採用可能である。
【発明の効果】
【００１４】
本願第１の発明に係る車両用灯具は、光源から第１導光体に入射した光を、灯具前後方向の複数箇所において所要方向へ内面反射させて出射させた後、２重に配置された第２および第３導光体の各々に対して、その１次導光部に入射させて所要方向へ導光した後、灯具前方側へ内面反射させてその２次導光部を灯具前方側へ導光する構成となっているので、次のような作用効果を得ることができる。
【００１５】
すなわち、灯具点灯時、第２および第３導光体の各々における２次導光部の前端面が２重に光って見えるようにすることができ、これにより他の車両への注意喚起機能を十分に確保することができる。
【００１６】
このように本願第１の発明によれば、光源からの光を導光する導光体を備えた車両用灯具において、灯具点灯時の注意喚起機能向上を図ることができる。
【００１７】
上記構成において、第１導光体と第２導光体とが一体成形により形成された構成とすれば、灯具部品点数を削減した上で上記作用効果を得ることができる。
【００１８】
上記構成において、第２導光体の２次導光部および第３導光体の２次導光部がいずれも環状に形成された構成とすれば、第２および第３導光体の各々における２次導光部の前端面が略均一に光って見えるようにすることができる。
【００１９】
本願第２の発明に係る車両用灯具は、光源から第１導光体に入射した光を、灯具前後方向の複数箇所において所要方向へ内面反射させて出射させた後、第２導光体に対してその１次導光部に入射させて所要方向へ導光する構成となっているが、その際、第１導光体は該第１導光体と他の灯具構成部材とで第２導光体を前後両側から挟んだ状態で他の灯具構成部材に固定された構成となっているので、次のような作用効果を得ることができる。
【００２０】
すなわち、第１導光体と他の灯具構成部材とで第２導光体を前後両側から挟んだ状態で第１導光体を他の灯具構成部材に固定する構造を採用することにより、他の灯具構成部材に対する複数の導光体の支持を確実に行うことができる。
【００２１】
このように本願第２の発明によれば、光源からの光を導光する導光体を備えた車両用灯具において、複数の導光体を確実に支持することができる。
【００２２】
上記構成において、第１導光体の他の灯具構成部材に対する固定が機械的締結によって行われる構成とすれば、その固定が接着等により行われるとした場合に比して製造設備を簡素化することができる。上記「機械的締結」の種類は特に限定されるものではなく、例えばランス係合や回転係合あるいはネジ締め等が採用可能である。
【００２３】
上記構成において、第１導光体についても、第２導光体と同様の１次導光部を備えた構成とすれば、その分だけ発光面を増やすことができる。
【００２４】
上記構成において、第１導光体の光出射部から出射した光の一部を第２導光体の後方側において入射させて所要方向へ導光する１次導光部を備えた第３導光体が設けられた構成とした上で、第２および第３導光体の各々の構成として、その１次導光部を導光された光を灯具前方側へ内面反射させて灯具前方側へ導光する２次導光部を備えた構成とし、さらに第３導光体がその２次導光部において他の灯具構成部材に固定された構成とすれば、複数の導光体の支持をより確実に行うことができる。
【図面の簡単な説明】
【００２５】
【図１】本願発明の一実施形態に係る車両用灯具を示す側断面図
【図２】図１のII部詳細図
【図３】図１のIII 方向矢視図
【図４】上記車両用灯具の主要構成要素を分解して示す側断面図
【図５】上記実施形態の第１変形例を示す、図１と同様の図
【図６】上記１変形例の主要構成要素を分解して示す斜視図
【図７】上記実施形態の第２変形例を示す、図１と同様の図
【発明を実施するための形態】
【００２６】
以下、図面を用いて、本願発明の実施の形態について説明する。
【００２７】
図１は、本願発明の一実施形態に係る車両用灯具１０を示す側断面図である。
【００２８】
同図に示すように、本実施形態に係る車両用灯具１０は、車両後部に配置されるテールランプであって、ランプボディ１２と透明のアウターカバー１４とで形成される灯室内に、発光素子２０および該発光素子２０からの光を導光する導光体３０が収容された構成となっている。
【００２９】
発光素子２０は、赤色発光ダイオードであって、基板２２に搭載された状態で灯具前方（車両としては後方）へ向けて配置されている。この基板２２はランプボディ１２に支持されている。
【００３０】
導光体３０は、３つの導光体３２、３４、３６によって構成されている。これら３つの導光体３２、３４、３６は、いずれも透明な合成樹脂成形品であって、互いに組み付けられた状態でベース部材４０に支持されている。ベース部材４０はランプボディ１２に支持されている。
【００３１】
灯室内における導光体３０の周囲には、エクステンションパネル４２が配置されている。
【００３２】
以下においては、導光体３０を構成する３つの導光体３２、３４、３６の具体的な構成について説明する。
【００３３】
図２は、図１のII部詳細図である。また、図３は、導光体３０を発光素子２０と共に示す、図１のIII 方向矢視図である。
【００３４】
まず、導光体３２の構成について説明する。
【００３５】
これらの図にも示すように、導光体３２は、灯具前後方向に延びる柱状部３２Ａと、発光素子２０の発光中心を通るようにして灯具前後方向に延びる軸線Ａｘを中心軸とする有底円筒部３２Ｂとが、一体成形により形成された構成となっている。
【００３６】
柱状部３２Ａは、発光素子２０から出射した光を入射させる光入射部３２Ａａと、この光入射部３２Ａａから入射した光を灯具前後方向の３箇所において灯具前後方向と交差する所要方向（本実施形態においては灯具前後方向と直交する方向）へ内面反射させる光反射部３２Ａｂと、この光反射部３２Ａｂで内面反射した光を所要方向へ出射させる光出射部３２Ａｃとを備えている。
【００３７】
光入射部３２Ａａは、柱状部３２Ａの後端部において灯具後方へ向けて突出するように形成された凸曲面で構成されている。この凸曲面は、軸線Ａｘを中心とする回転曲面で構成されている。そして、光入射部３２Ａａは、発光素子２０から出射した光を灯具前方へ向かう平行光として導光体３２に入射させるようになっている。
【００３８】
光反射部３２Ａｂは、柱状部３２Ａの前端面に形成されている。この光反射部３２Ａｂは、灯具前後方向に略等間隔をおいて階段状に形成された３つの光反射面３２Ａｂ１、３２Ａｂ２、３２Ａｂ３で構成されている。これら各光反射面３２Ａｂ１、３２Ａｂ２、３２Ａｂ３は、軸線Ａｘを中心とする円錐面で構成されており、入射部３２Ａａから柱状部３２Ａに入射した光を全周にわたって全反射によって放射状に内面反射させるようになっている。
【００３９】
その際、前から１番目の光反射面３２Ａｂ１で内面反射した光は、そのまま有底円筒部３２Ｂに入射するようになっており、前から２番目および３番目の光反射面３２Ａｂ２、３２Ａｂ３で内面反射した光は、光出射部３２Ａｃから所要方向へ出射するようになっている。
【００４０】
光出射部３２Ａｃは、軸線Ａｘを中心とする円筒面で構成されているが、その上端および下端位置には、灯具前後方向に延びる上下１対のビード３２Ａｃ１が形成されている。これら各ビード３２Ａｃ１の後端近傍部位には、後方へ向けて傾斜した楔状の凹部３２Ａｃ２が形成されている。
【００４１】
光出射部３２Ａｃの前端部には、該光出射部３２Ａｃを構成する円筒面よりもひとまわり大きい円筒面状の外周面を有する大径部３２Ａｄが形成されている。
【００４２】
有底円筒部３２Ｂは、光反射面３２Ａｂ１で内面反射した光を所要方向へ導光する１次導光部３２Ｂ１と、この１次導光部３２Ｂ１を導光された光を灯具前方側へ内面反射させて灯具前方側へ導光する２次導光部３２Ｂ２とを備えた構成となっている。
【００４３】
２次導光部３２Ｂ２の後端面３２Ｂ２ａは、軸線Ａｘを中心とする円錐面で構成されており、１次導光部３２Ｂ１を導光された光を灯具前方側へ全反射によって内面反射させるようになっている。２次導光部３２Ｂ２の前端面３２Ｂ２ｂは、複数の拡散レンズ素子で構成されており、これにより２次導光部３２Ｂ２を導光された光を拡散光として灯具前方へ向けて出射させるようになっている。
【００４４】
次に、導光体３４の構成について説明する。
【００４５】
導光体３４は、導光体３２の有底円筒部３２Ｂよりもひとまわり大きい有底円筒状に形成されている。
【００４６】
すなわち、この導光体３４は、光反射面３２Ａｂ２で内面反射して光出射部３２Ａｃから所要方向へ出射した光を有底円筒部３２Ｂの後方側において入射させて所要方向へ導光する１次導光部３４Ａと、この１次導光部３４Ａを導光された光を有底円筒部３２Ｂの外周側において灯具前方側へ内面反射させて灯具前方側へ導光する２次導光部３４Ｂとを備えた構成となっている。
【００４７】
１次導光部３４Ａの内周端部には、後方側へ突出する環状フランジ部３４Ｃが形成されている。１次導光部３４Ａおよび環状フランジ部３４Ｃの内周面は、導光体３２の柱状部３２Ａの光出射部３２Ａｃ（上下１対のビード３２Ａｃ１を含む）に沿った形状を有している。
【００４８】
２次導光部３４Ｂの後端面３４Ｂａは、軸線Ａｘを中心とする円錐面の一部で構成されており、１次導光部３４Ａを導光された光を灯具前方側へ全反射によって内面反射させるようになっている。２次導光部３４Ｂの前端面３４Ｂｂは、複数の拡散レンズ素子で構成されており、これにより２次導光部３４Ｂを導光された光を拡散光として灯具前方へ向けて出射させるようになっている。
【００４９】
次に、導光体３６の構成について説明する。
【００５０】
導光体３６は、導光体３４よりもさらにひとまわり大きい有底円筒状に形成されている。
【００５１】
すなわち、この導光体３６は、光反射面３２Ａｂ３で内面反射して光出射部３２Ａｃから所要方向へ出射した光を導光体３４の後方側において入射させて所要方向へ導光する１次導光部３６Ａと、この１次導光部３６Ａを導光された光を導光体３４の外周側において灯具前方側へ内面反射させて灯具前方側へ導光する２次導光部３６Ｂとを備えた構成となっている。
【００５２】
１次導光部３６Ａの内周端部には、後方側へ突出する環状フランジ部３６Ｃが形成されている。１次導光部３６Ａおよび環状フランジ部３６Ｃの内周面は、導光体３２の柱状部３２Ａの光出射部３２Ａｃ（上下１対のビード３２Ａｃ１を含む）に沿った形状を有している。
【００５３】
２次導光部３６Ｂの後端面３６Ｂａは、軸線Ａｘを中心とする円錐面の一部で構成されており、１次導光部３６Ａを導光された光を灯具前方側へ全反射によって内面反射させるようになっている。２次導光部３６Ｂの前端面３６Ｂｂは、複数の拡散レンズ素子で構成されており、これにより２次導光部３６Ｂを導光された光を拡散光として灯具前方へ向けて出射させるようになっている。
【００５４】
２次導光部３６Ｂの外周面における上端および下端位置には、上下１対のタブ３６Ｂｃが形成されている。これら各タブ３６Ｂｃには、該タブ３６Ｂｃを灯具前後方向に貫通するネジ挿通孔３６Ｂｄが形成されている。
【００５５】
導光体３０の組付けは、導光体３２の柱状部３２Ａに導光体３４、３６が嵌め込まれることによって行われている。
【００５６】
その際、導光体３２の大径部３２Ａｄに導光体３４が後方側から当接することにより、導光体３４の前後方向の位置決めがなされ、また、導光体３４の環状フランジ部３４Ｃに導光体３６が後方側から当接することにより、導光体３６の前後方向の位置決めがなされるようになっている。さらに、導光体３２の光出射部３２Ａｃに形成された上下１対のビード３２Ａｃ１によって、導光体３４、３６の軸線Ａｘを中心とする回転方向の位置決めがなされるようになっている。
【００５７】
ベース部材４０は、導光体３６よりもひとまわり大きい有底円筒状に形成されている。
【００５８】
すなわち、このベース部材４０は、導光体３６の後方側において所要方向に延びる本体部４０Ａと、この本体部４０Ａの内周端部から後方へ向けて延びる小径筒状部４０Ｂと、本体部４０Ａの外周端部から前方へ向けて延びる大径筒状部４０Ｃとを備えた構成となっている。
【００５９】
小径筒状部４０Ｂは、導光体３２の柱状部３２Ａの光出射部３２Ａｃ（上下１対のビード３２Ａｃ１を含む）に沿った内周面形状を有しているが、その内周面の後端近傍部位における上端および下端位置には上下１対の突起部４０Ｂａが形成されている。これら各突起部４０Ｂａは、後方側へ向けて楔状に突出するように形成されている。
【００６０】
大径筒状部４０Ｃの前端部における上端および下端位置には、上下１対のネジ受け部４０Ｃａが形成されている。
【００６１】
図４は、車両用灯具１０の主要構成要素を分解して示す側断面図である。
【００６２】
同図にも示すように、導光体３０は、導光体３２の柱状部３２Ａに導光体３４、３６を後方側から順次嵌め込んだ状態で、その柱状部３２Ａをベース部材４０の小径筒状部４０Ｂに前方側から挿入して、その柱状部３２Ａに形成された上下１対の凹部３２Ａｃ２に対して小径筒状部４０Ｂに形成された上下１対の突起部４０Ｂａを嵌め込む（すなわちランス係合する）ことにより、ベース部材４０に組み付けられるようになっている。
【００６３】
その際、上下１対の凹部３２Ａｃ２に上下１対の突起部４０Ｂａが嵌め込まれたときに、導光体３６の環状フランジ部３６Ｃがベース部材４０の本体部４０Ａに当接して、導光体３４、３６が導光体３２とベース部材４０とによって前後両側から挟み込まれるようになっている。そしてこれにより、導光体３０を構成する３つの導光体３２、３４、３６相互間の灯具前後方向の位置決めがなされた状態で、導光体３０のベース部材４０への支持が行われるようになっている。なお、導光体３２の柱状部３２Ａに導光体３４、３６が嵌め込まれたときに、上下１対のビード３２Ａｃ１が導光体３４、３６と係合して、３つの導光体３２、３４、３６相互間の回転方向の位置決めがなされるようになっている。
【００６４】
さらに、導光体３６の２次導光部３６Ｂの外周面に形成された上下１対のタブ３６Ｂｃのネジ挿通孔３６Ｂｄを介して、ベース部材４０の大径筒状部４０Ｃに形成された上下１対のネジ受け部４０Ｃａにネジ５０を締め付けることにより、導光体３０のベース部材４０への組付け強度を高めるようになっている。
【００６５】
次に、本実施形態の作用効果について説明する。
【００６６】
本実施形態に係る車両用灯具１０においては、光源としての発光素子２０から導光体３２の柱状部３２Ａに入射した光を、灯具前後方向の３箇所において所要方向へ内面反射させて出射させた後、３重に配置された導光体３２の有底円筒部３２Ｂ、導光体３４、３６の各々に対して、その１次導光部３２Ｂ１、３４Ａ、３６Ａに入射させて所要方向へ導光した後、灯具前方側へ内面反射させてその２次導光部３２Ｂ２、３４Ｂ、３６Ｂを灯具前方側へ導光する構成となっているので、次のような作用効果を得ることができる。
【００６７】
すなわち、灯具点灯時、導光体３２の有底円筒部３２Ｂ、導光体３４、３６の各々における２次導光部３２Ｂ２、３４Ｂ、３６Ｂの前端面３２Ｂ２ｂ、３４Ｂｂ、３６Ｂｂが３重に光って見えるようにすることができ、これにより他の車両への注意喚起機能を十分に確保することができる。
【００６８】
このように本実施形態によれば、発光素子２０からの光を導光する導光体３０を備えた車両用灯具１０において、灯具点灯時の注意喚起機能向上を図ることができる。
【００６９】
その際、導光体３２は、柱状部３２Ａと有底円筒部３２Ｂとが一体成形により形成されているので、灯具部品点数を削減した上で上記作用効果を得ることができる。
【００７０】
しかも本実施形態においては、導光体３２の有底円筒部３２Ｂ、導光体３４、３６の２次導光部３２Ｂ２、３４Ｂ、３６Ｂがいずれも円筒状（すなわち環状）に形成されているので、その各々の前端面３２Ｂ２ｂ、３４Ｂｂ、３６Ｂｂが略均一に光って見えるようにすることができる。
【００７１】
また本実施形態においては、導光体３２は該導光体３２と他の灯具構成部材であるベース部材４０とで導光体３４、３６を前後両側から挟んだ状態でベース部材４０に固定された構成となっているので、ベース部材４０に対する３つの導光体３２、３４、３６の支持を確実に行うことができる。
【００７２】
特に本実施形態においては、導光体３２のベース部材４０に対する固定が機械的締結であるランス係合によって行われているので、その固定が接着等により行われるとした場合に比して製造設備を簡素化することができる。
【００７３】
さらに本実施形態においては、導光体３６がその２次導光部３６Ｂにおいてベース部材４０にネジ締め固定されているので、３つの導光体３２、３４、３６の支持をより確実に行うことができる。
【００７４】
なお、本実施形態においては、導光体３２の柱状部３２Ａが本願第１の発明の「第１導光体」に対応しており、導光体３２の有底円筒部３２Ｂが本願第１の発明の「第２導光体」に対応しており、導光体３４が本願第１の発明の「第３導光体」に対応しており、また、導光体３２が本願第２の発明の「第１導光体」に対応しており、導光体３４が本願第２の発明の「第２導光体」に対応しており、導光体３６が本願第２の発明の「第３導光体」に対応している。
【００７５】
上記実施形態においては、導光体３２の構成として、柱状部３２Ａと有底円筒部３２Ｂとを備えているものとして説明したが、柱状部３２Ａのみを備えた構成とすることも可能である。
【００７６】
上記実施形態においては、有底円筒部３２Ｂ、導光体３４、３６の２次導光部３２Ｂ２、３４Ｂ、３６Ｂがいずれも円筒状に形成されているものとして説明したが、これ以外の環状（例えば楕円筒状や角筒状等）の形状に形成された構成や、半円筒状や平板状等に形成された構成とすることも可能である。
【００７７】
上記実施形態においては、車両用灯具１０が、テールランプである場合について説明したが、車両に設けられる箇所や機能にかかわらず、上記実施形態と同様の構成を採用することにより上記実施形態と同様の作用効果を得ることができる。
【００７８】
次に、上記実施形態の変形例について説明する。
【００７９】
まず、上記実施形態の第１変形例について説明する。
【００８０】
図５は、本変形例に係る車両用灯具１１０を示す、図１と同様の図である。
【００８１】
同図に示すように、本変形例に係る車両用灯具１１０も、その基本的な構成は上記実施形態の場合と同様であるが、導光体１３２のベース部材１４０に対する固定が、ランス係合ではなく回転係合によって行われている点で、上記実施形態の場合と異なっている。
【００８２】
図６は、導光体１３２をベース部材１４０に固定する際の回転係合の様子を示す斜視図である。
【００８３】
同図にも示すように、本変形例のベース部材１４０には、上記実施形態のベース部材４０の小径筒状部４０Ｂに相当するものが形成されておらず、その本体部１４０Ａの内周縁が、導光体１３２の柱状部１３２Ａの光出射部１３２Ａｃ（上下１対のビード１３２Ａｃ１を含む）の外周形状に沿った開口形状を有する開口部１４０Ａａとして形成されている。
【００８４】
この開口部１４０Ａａには、導光体１３２の柱状部１３２Ａに形成された上下１対のビード１３２Ａｃ１の断面形状に沿った上下１対の切欠き部１４０Ａａ１が形成されているが、両切欠き部１４０Ａａ１は開口部１４０Ａａの上下両端位置から一定角度回転した位置に形成されている。
【００８５】
一方、導光体１３２の各ビード１３２Ａｃ１は、その後端近傍部位が部分的に欠落した構成となっている。これら各ビード１３２Ａｃ１の欠落部分の前後幅は、ベース部材１４０の本体部１４０Ａの肉厚よりもやや大きい値に設定されている。
【００８６】
そして、図５に示すように、導光体１３０は、導光体１３２の柱状部１３２Ａに導光体１３４、１３６を後方側から順次嵌め込んだ状態で、その柱状部１３２Ａをベース部材１４０の開口部１４０Ａａに前方側から挿入して一定角度回転させることにより、ベース部材１４０に組み付けられるようになっている。
【００８７】
その際、図６に示すように、導光体１３２の上下１対のビード１３２Ａｃ１とベース部材１４０の上下１対の切欠き部１４０Ａａ１との角度位置を合わせた状態で、柱状部１３２Ａを開口部１４０Ａａに挿入した後、矢印で示す方向に回転させることにより組付けが行われるようになっている。
【００８８】
このとき、図５に示すように、上下１対のビード１３２Ａｃ１の後端部位と導光体１３６の大径部１３２Ａｄとによって導光体１３４、１３６およびベース部材１４０の本体部１４０Ａが挟み込まれるようになっている。
【００８９】
なお、本変形例の導光体１３６も、その２次導光部１３６Ｂの外周面に形成された上下１対のタブ１３６Ｂｃにおいてネジ５０によってベース部材１４０に固定されており、これにより導光体１３０のベース部材１４０への組付け強度を高めるようになっている。
【００９０】
本変形例の構成を採用した場合においても、導光体１３２のベース部材１４０に対する固定が機械的締結である回転係合によって行われているので、その固定が接着等により行われるとした場合に比して製造設備を簡素化することができる。
【００９１】
次に、上記実施形態の第２変形例について説明する。
【００９２】
図７は、本変形例に係る車両用灯具２１０を示す、図１と同様の図である。
【００９３】
同図に示すように、本変形例に係る車両用灯具２１０も、その基本的な構成は上記実施形態の場合と同様であるが、導光体２３２のベース部材２４０に対する固定が、ランス係合ではなくネジ締めによって行われている点で、上記実施形態の場合と異なっている。
【００９４】
同図に示すように、本変形例の導光体２３２には、その柱状部２３２Ａに形成された上下１対のビード２３２Ａｃ１の後端近傍部位に上下方向に延びるネジ穴２３２Ａｃ３が形成されている。また、本変形例のベース部材２４０の小径筒状部２４０Ｂには、上下１対のネジ穴２３２Ａｃ３と対応する位置にネジ挿通孔２４０Ｂｂが形成されており、また、その後端部には上下１対のビード２３２Ａｃ１の後端面と係合する突起部２４０Ｂｃが形成されている。
【００９５】
そして、本変形例の導光体２３０は、導光体２３２の柱状部２３２Ａに導光体２３４、２３６を後方側から順次嵌め込んだ状態で、その柱状部２３２Ａをベース部材２４０の小径筒状部２４０Ｂに前方側から挿入した後、上下１対のネジ挿通孔２４０Ｂｂを介して上下１対のネジ穴２３２Ａｃ３にネジ２５０を締め付けることにより、ベース部材２４０に組み付けられるようになっている。
【００９６】
その際、柱状部２３２Ａをベース部材２４０の小径筒状部２４０Ｂに前方側から挿入したとき、上下１対のビード２３２Ａｃ１の後端面が導光体２３２の突起部２４０Ｂｃに当接するとともにして導光体２３２の大径部２３２Ａｄとベース部材２４０の本体部２４０Ａとによって導光体２３４、２３６が挟み込まれるようになっている。
【００９７】
なお、本変形例の導光体２３６も、その２次導光部２３６Ｂの外周面に形成された上下１対のタブ２３６Ｂｃにおいてネジ５０によってベース部材２４０に固定されており、これにより導光体２３０のベース部材２４０への組付け強度を高めるようになっている。
【００９８】
本変形例の構成を採用した場合においても、導光体２３２のベース部材２４０に対する固定が機械的締結であるネジ締めによって行われているので、その固定が接着等により行われるとした場合に比して製造設備を簡素化することができる。
【００９９】
なお、上記実施形態およびその変形例において諸元として示した数値は一例にすぎず、これらを適宜異なる値に設定してもよいことはもちろんである。
【０１００】
また、本願発明は、上記実施形態およびその変形例に記載された構成に限定されるものではなく、これ以外の種々の変更を加えた構成が採用可能である。
【符号の説明】
【０１０１】
１０、１１０、２１０  車両用灯具
１２  ランプボディ
１４  アウターカバー
２０  発光素子（光源）
２２  基板
３０、３２、３４、３６、１３０、１３２、１３４、１３６、２３０、２３２、２３４、２３６  導光体
３２Ａ、１３２Ａ、２３２Ａ  柱状部
３２Ａａ  光入射部
３２Ａｂ  光反射部
３２Ａｂ１、３２Ａｂ２、３２Ａｂ３  光反射面
３２Ａｃ、１３２Ａｃ  光出射部
３２Ａｃ１、１３２Ａｃ１、２３２Ａｃ１  ビード
３２Ａｃ２  凹部
３２Ａｄ、１３２Ａｄ、２３２Ａｄ  大径部
３２Ｂ  有底円筒部
３２Ｂ１、３４Ａ、３６Ａ  １次導光部
３２Ｂ２、３４Ｂ、３６Ｂ、１３６Ｂ、２３６Ｂ  ２次導光部
３２Ｂ２ａ、３４Ｂａ、３６Ｂａ  後端面
３２Ｂ２ｂ、３４Ｂｂ、３６Ｂｂ  前端面
３４Ｃ、３６Ｃ  環状フランジ部
３６Ｂｃ、１３６Ｂｃ、２３６Ｂｃ  タブ
３６Ｂｄ、２４０Ｂｂ  ネジ挿通孔
４０、１４０、２４０  ベース部材（他の灯具構成部材）
４０Ａ、１４０Ａ、２４０Ａ  本体部
４０Ｂ、２４０Ｂ  小径筒状部
４０Ｂａ、２４０Ｂｃ  突起部
４０Ｃ  大径筒状部
４０Ｃａ  ネジ受け部
４２  エクステンションパネル
５０、２５０  ネジ
１４０Ａａ  開口部
１４０Ａａ１  切欠き部
２３２Ａｃ３  ネジ穴
Ａｘ  軸線
【図１】
2016184548.tif 000003
【図２】
2016184548.tif 000004
【図３】
2016184548.tif 000005
【図４】
2016184548.tif 000006
【図５】
2016184548.tif 000007
【図６】
2016184548.tif 000008
【図７】
2016184548.tif 000009